(57)【要約】【課題】振動を抑制しつつ小型化が可能なスピーカー装置を提供する。【解決手段】  キャビネットは互いに対向する前面側バッフル板と背面側バッフル板とを備える。前面側バッフル板には、ｎ個の前面側スピーカーユニット（ｎは２以上の整数）が取り付けられている。背面側バッフル板には、ｎ個の背面側スピーカーユニットが取り付けられている。供給部は、ｎ個の前面側スピーカーユニットとｎ個の背面側スピーカーユニットとへ同一の信号を同一の位相で供給する。ｎ個の前面側スピーカーユニットとｎ個の背面側スピーカーユニットとは、前面側バッフル板と背面側バッフル板との距離を短くするよう、音の出力方向から見たときの２次元的配置を互いにずらして配置されている。【選択図】図１
2014007554.tif 000002
【特許請求の範囲】
【請求項１】
互いに対向する前面側バッフル板と背面側バッフル板とを備えたエンクロージャと、
前記前面側バッフル板に取り付けられたｎ個（ｎは２以上の整数）の前面側スピーカーユニットと、
前記背面側バッフル板に取り付けられたｎ個の背面側スピーカーユニットと、
音響信号を入力する入力部と、
前記ｎ個の前面側スピーカーユニットと前記ｎ個の背面側スピーカーユニットとへ前記入力部へ入力された音響信号を同一の位相で供給する供給部と
を備え、
前記ｎ個の前面側スピーカーユニットと前記ｎ個の背面側スピーカーユニットとを、前記ｎ個の前面側スピーカーユニットによる振動と、前記ｎ個の背面側スピーカーユニットによる振動とが互いに打ち消しあう位置に配置するとともに、前記エンクロージャの前記前面側バッフル板と前記背面側バッフル板との距離を短くするよう、前記音の出力方向から見たときの２次元的配置を互いにずらした位置に配置することを特徴とするスピーカー装置。
【請求項２】
前記ｎ個の前面側スピーカーユニットによる振動と前記ｎ個の背面側スピーカーユニットによる振動とが同一直線上で逆向きの振動となるよう、前記ｎ個の前面側スピーカーユニットと前記ｎ個の背面側スピーカーユニットとを配置したことを特徴とする請求項１に記載のスピーカー装置。
【請求項３】
前記エンクロージャの内部と外部とを接続し、前記エンクロージャの内部の音を放出するダクトを設けたことを特徴とする請求項１に記載のスピーカー装置。
【請求項４】
前記エンクロージャを覆うキャビネットと、
前記キャビネットの内部と外部とを接続し、前記キャビネットの内部の音を放出するダクトと
を設けたことを特徴とする請求項１に記載のスピーカー装置。
【請求項５】
前記エンクロージャの内部と前記キャビネットの外部とを接続し、前記エンクロージャの内部の音を放出するダクトをさらに設けたことを特徴とする請求項４に記載のスピーカー装置。
【請求項６】
前記キャビネットの内部の音を放出するダクトと前記エンクロージャの内部の音を放出するダクトとは、略同一直線上に配置されたスリット状のダクトであることを特徴とする請求項５に記載のスピーカー装置。
【請求項７】
前記供給部は
前記ｎ個の前面側スピーカーユニットへ供給する音響信号に対し、前記ｎ個の背面側スピーカーユニットへ供給する信号の位相を、前記入力部へ入力された音響信号の周波数に応じて遅らせることを特徴とする請求項１から６のいずれか一項に記載のスピーカー装置。
【発明の詳細な説明】
【技術分野】
【０００１】
本発明は、振動を抑制するスピーカー装置に関する。
【背景技術】
【０００２】
スピーカー装置で音響信号を再生すると、音とともに振動が発生し、スピーカー装置の筐体や床や壁などに伝わって音が濁り、音質が損なわれる場合がある。特に低音域を再生するスピーカー装置では、振動板などの振動する部材の質量が大きく、また振動による重心の移動が大きいため、振動が大きくなってしまうことが多い。
【０００３】
このようなスピーカー装置の振動を抑制するため、２つのスピーカーユニットを逆向きに取り付け、同位相で駆動するスピーカー装置が知られている（たとえば、特許文献１参照）。
【先行技術文献】
【特許文献】
【０００４】
【特許文献１】特開２００６−３５２３６７号公報
【発明の概要】
【発明が解決しようとする課題】
【０００５】
特許文献１に記載のスピーカー装置は、一対のスピーカーユニットを、音の放出方向を互いに逆向きにしてスピーカーボックスに取り付けている。そのため、各スピーカーユニットからの振動が互いに相殺され、振動が抑制される。
【０００６】
しかしながら、一対のスピーカーユニットをこのように取り付けると、スピーカーユニット２つ分の厚さが必要となるので、スピーカー装置が大型化してしまう。このように、従来のスピーカー装置では、振動を抑制するとスピーカー装置が大型化してしまうという問題があった。
【０００７】
そこで、本発明が解決しようとする課題は、振動を抑制し小型化が可能なスピーカー装置を提供することにある。
【課題を解決するための手段】
【０００８】
上記の課題を解決するために、本願発明は以下の装置を提供するものである。
１）互いに対向する前面側バッフル板（１０２）と背面側バッフル板（１０３）とを備えたエンクロージャ（１０）と、前面側バッフル板に取り付けられたｎ個（ｎは２以上の整数）の前面側スピーカーユニット（１０１ａ、１０１ｂ）と、背面側バッフル板に取り付けられたｎ個の背面側スピーカーユニット（１０１ｃ、１０１ｄ）と、音響信号を入力する入力部（３１）と、ｎ個の前面側スピーカーユニットとｎ個の背面側スピーカーユニットとへ入力部へ入力された音響信号を同一の位相で供給する供給部（３２）とを備え、ｎ個の前面側スピーカーユニットとｎ個の背面側スピーカーユニットとを、ｎ個の前面側スピーカーユニットによる振動と、ｎ個の背面側スピーカーユニットによる振動とが互いに打ち消しあう位置に配置するとともに、エンクロージャの前面側バッフル板と背面側バッフル板との距離を短くするよう、音の出力方向から見たときの２次元的配置を互いにずらした位置に配置することを特徴とするスピーカー装置。
２）ｎ個の前面側スピーカーユニットによる振動とｎ個の背面側スピーカーユニットによる振動とが同一直線上で逆向きの振動となるよう、ｎ個の前面側スピーカーユニットとｎ個の背面側スピーカーユニットとを配置したことを特徴とする１）に記載のスピーカー装置。
３）エンクロージャ（５０）の内部と外部とを接続し、エンクロージャの内部の音を放出するダクト（５０４）を設けたことを特徴とする１）に記載のスピーカー装置。
４）エンクロージャ（６０）を覆うキャビネット（６１）と、キャビネットの内部と外部とを接続し、キャビネットの内部の音を放出するダクト（６０４）とを設けたことを特徴とする１）に記載のスピーカー装置。
５）エンクロージャ（６０）の内部とキャビネット（６１）の外部とを接続し、エンクロージャの内部の音を放出するダクト（６０５）をさらに設けたことを特徴とする４）に記載のスピーカー装置。
６）キャビネット（６１）の内部の音を放出するダクト（６０４））とエンクロージャ（６０）の内部の音を放出するダクト（６０５）とは、略同一直線上に配置されたスリット状のダクトであることを特徴とする５）に記載のスピーカー装置。
７）供給部（７２）はｎ個の前面側スピーカーユニット（１０１ａ、１０１ｂ）へ供給する音響信号に対し、ｎ個の背面側スピーカーユニット（１０１ｃ、１０１ｄ）へ供給する信号の位相を、入力部へ入力された音響信号の周波数に応じて遅らせることを特徴とする１）から６）のいずれか一項に記載のスピーカー装置。
【発明の効果】
【０００９】
本発明のスピーカー装置によれば、振動を抑制し小型化が可能なスピーカー装置を提供することができる。
【図面の簡単な説明】
【００１０】
【図１】本発明のスピーカー装置の第１実施例の斜視図である。
【図２】本発明のスピーカー装置の第１実施例のスピーカーユニットの配置を示す模式図である。
【図３】本発明のスピーカー装置の第１〜第３実施例のブロック構成図である。
【図４】本発明のスピーカー装置の第１〜第３実施例の振動を示す模式図である。
【図５】本発明のスピーカー装置の第２実施例の斜視図である。
【図６】本発明のスピーカー装置の第３実施例の斜視図である。
【図７】本発明のスピーカー装置の第４実施例のブロック構成図である。
【発明を実施するための形態】
【００１１】
以下、本発明のスピーカー装置について、実施例に基づき添付図面を参照して説明する。
【００１２】
[第１実施例]
＜構成＞
図１は本発明の第１実施例であるスピーカー装置１を示す斜視図である。図１では、理解を容易にするため、スピーカー装置１の回路部分は図示せず、エンクロージャとスピーカーユニットの配置のみを示している。
【００１３】
図１において、１０は音の出力方向に扁平な直方体形状のエンクロージャである。エンクロージャ１０の前面側バッフル板１０２にｎ個（ｎは２以上の整数）の前面側スピーカーユニットを配置する。本実施例ではｎ＝２として、２個の前面側スピーカーユニット１０１ａ、１０１ｂを配置する。具体的には、矢印Ａをスピーカー装置１の中心軸としたとき、前面側スピーカーユニット１０１ａと前面側スピーカーユニット１０１ｂとを、Ａを中心に上下に対称となる位置に振動板の中心が来るよう、前面側バッフル板１０２に配置する。
【００１４】
また、エンクロージャ１０の前面側バッフル板１０２と対向する背面側バッフル板１０３に、同じくｎ個（本実施例では２個）の背面側スピーカーユニット１０１ｃ、１０１ｄを配置する。背面側スピーカーユニット１０１ｃと背面側スピーカーユニット１０１ｄとは、Ａを中心に左右に対称となる位置に振動板の中心が来るよう配置する。前面側スピーカーユニット１０１ａ、１０１ｂと、背面側スピーカーユニット１０１ｃ、１０１ｄとは、すべて略同一の口径、略同一の周波数特性である同一特性のスピーカーユニットとする。
【００１５】
図２に中心軸Ａの方向からみたときの、前面側スピーカーユニット１０１ａ、１０１ｂと、背面側スピーカーユニット１０１ｃ、１０１ｄの２次元配置を示す。図２に示すように、前面側スピーカーユニット１０１ａ、１０１ｂは中心軸Ａに対し上下に配置され、背面側スピーカーユニット１０１ｃ、１０１ｄは中心軸Ａに対して左右に配置されている。このように、前面側スピーカーユニット１０１ａ、１０１ｂ、背面側スピーカーユニット１０１ｃ、１０１ｄとは、中心軸Ａの方向からみたとき、互いに重ならないよう配置されている。これにより、エンクロージャ１０の前面側バッフル板１０２と背面側バッフル板１０３との間隔を短くして、スピーカー装置１を小型化することができる。なお、一般にスピーカーユニットは音を出力する側のコーン紙等の直径に比べると、背面側のボイスコイルやマグネット等の直径は小さいことが多いので、スピーカーユニットをボイスコイルやマグネット等が干渉しない程度にずらして配置すれば、２次元配置で多少重なっていたとしても前面側バッフル板１０２と裏側バッフル板１０３との間隔を短くして、スピーカー装置１を小型化することができる。
＜作用＞
図３は、スピーカー装置１のブロック構成図である。図３に示すように、入力部３１は、入力された音響信号を供給部３２へ送る。供給部３２は、入力部３１から送られた音響信号を前面側スピーカーユニット１０１ａ、１０１ｂと、背面側スピーカーユニット１０１ｃ、１０１ｄとへ同位相で供給する。
【００１６】
図４は、前面側スピーカーユニット１０１ａ、１０１ｂと、背面側スピーカーユニット１０１ｃ、１０１ｄとによって発生する振動の大きさ及び方向を示した図である。図４の矢印Ｂ、Ｃはそれぞれのスピーカーユニットへ正の位相の同一の信号を加えたときの振動大きさ及び方向を示している。図４において、ｂは２つの前面側スピーカーユニット１０１ａ、１０１ｂのコーン紙やボイスコイルなどの振動物の重心である。矢印Ａは図１と同様、スピーカー装置１の中心軸である。また矢印Ｂは、２つの前面側スピーカーユニット１０１ａ、１０１ｂの振動物の振動を合成したときの振動の大きさと方向とを示したものである。ｃは２つの背面側スピーカーユニット１０１ｃ、１０１ｄのコーン紙やボイスコイルなどの振動物の重心である。また矢印Ｃは、２つの背面側スピーカーユニット１０１ｃ、１０１ｄの振動物の振動を合成したときの振動の大きさと方向を合成したときの振動の大きさと方向とを示したものである。図４からわかるように、矢印Ｂと矢印Ｃとはいずれも中心軸Ａ上であって、同じ大きさで逆向きとなっている。したがって、前面側スピーカーユニット１０１ａ、１０１ｂの振動物の振動と、背面側スピーカーユニット１０１ｃ、１０１ｄの振動物の振動とは、互いに打ち消しあう。これにより、第１実施例のスピーカー装置１は、振動を抑制しつつ小型化することができる。
【００１７】
[第２実施例]
＜構成＞
次に、第２実施例のスピーカー装置を説明する。第２実施例のスピーカー装置５は、エンクロージャの前面側バッフル板にダクトを設けたものであり、その他の部分は第１実施例のスピーカー装置と同様である。
【００１８】
図５は本発明の第２実施例であるスピーカー装置５を示す斜視図である。図１と同様、理解を容易にするため、スピーカー装置５の回路部分は図示せず、エンクロージャとスピーカーユニットの配置のみを示している。
【００１９】
図５において、エンクロージャ５０の前面側バッフル板５０２に前面側スピーカーユニット１０１ａ、１０１ｂを配置し、エンクロージャ５０の背面側バッフル板５０３に背面側スピーカーユニット１０１ｃ、１０１ｄを配置する。前面側スピーカーユニット１０１ａ、１０１ｂと、背面側スピーカーユニット１０１ｃ、１０１ｄは第１実施例と同じスピーカーユニットで配置も第１実施例と同じであり、ブロック構成図も第１実施例と同じである。第２実施例のスピーカー装置５は、さらにエンクロージャ５０の前面側バッフル板５０２に、ダクト５０４を設けている。ダクト５０４はスピーカー装置５で主に再生する周波数帯域の音が共鳴するよう設定された所定の長さを持ち、エンクロージャ５０の内部と外部とを接続する。
【００２０】
一般に、開口部を持つ、気体を蓄えた容器はヘルムホルツ共鳴器と呼ばれ、その共鳴周波数は以下の式で表される。
ｆ＝（ｖ／２π）×√〔Ｓ／[Ｖ（Ｌ＋δ）]〕    式（１）
ただし
ｆ：ヘルムホルツ共振周波数（Ｈｚ）
ｖ：音速（ｍ／ｓ）
Ｓ：ダクトの断面積（ｍ2）
Ｖ：箱の内容量（ｍ3）
Ｌ：ダクト長さ（ｍ）
δ：開口端長さ補正（ｍ）
ただしｒ＝√（Ｓ／π）としたとき、δ＝０．６ｒ
本実施例のダクト５０４を式（１）で計算すると、たとえば
Ｖ＝０．０６×０．３×０．４＝７．２×１０-3（ｍ3）
ｖ＝３４０（ｍ／ｓ）
Ｓ＝０．０２５×０．０２５×π＝１．９６×１０-3（ｍ2）
Ｌ＝０．２５（ｍ）
のとき、ｆ＝５４．９（Ｈｚ）
となる。低域用のバスレフ型スピーカーは共鳴周波数を１０Ｈｚ〜数十Ｈｚに設定することが多いので、このような値に設定すれば好適である。
＜作用＞
第２実施例のスピーカー装置５は、エンクロージャ５０の内部の音が共鳴してダクト５０４をとおり外部に放出される。これにより、第１実施例のスピーカー装置と同様、振動を抑制しつつ小型化することができ、さらに音を大きく出力することができる。
【００２１】
[第３実施例]
＜構成＞
次に、第３実施例のスピーカー装置を説明する。第３実施例のスピーカー装置６は、エンクロージャの外側にキャビネットを設けたものであり、その他の部分は第２実施例のスピーカー装置と同様である。
【００２２】
図６は本発明の第３実施例であるスピーカー装置６を示す斜視図である。図１、図５と同様、理解を容易にするため、スピーカー装置６の回路部分は図示せず、キャビネットとエンクロージャとスピーカーユニットの配置のみを示している。
【００２３】
図６において、エンクロージャ６０の前面側バッフル板６０２に前面側スピーカーユニット１０１ａ、１０１ｂを配置し、エンクロージャ６０の背面側バッフル板６０３に背面側スピーカーユニット１０１ｃ、１０１ｄを配置する。前面側スピーカーユニット１０１ａ、１０１ｂと、背面側スピーカーユニット１０１ｃ、１０１ｄは第１、第２実施例と同じスピーカーユニットで配置も同じであり、ブロック構成図も第１、第２実施例と同じである。第３実施例のスピーカー装置６は、エンクロージャ６０の外側にキャビネット６１を設け、キャビネット６１にスリット状のダクト６０４を設けている。ダクト６０４は第２実施例と同様、スピーカー装置６で主に再生する周波数帯域の音が共鳴するよう設定された所定の長さを持ち、キャビネット６１の内部と外部とを接続する。
【００２４】
また、スピーカー装置６は、エンクロージャ６０の前面側バッフル板６０２に、ダクト６０５を設けている。ダクト６０５はキャビネット６１を貫通し、エンクロージャ６０の内部とキャビネット６１の外部とを接続しており、エンクロージャ６０の内部の音を外部に放出する。図６では、前面側バッフル板６０２の中心に左右に延びるスリット状のダクト６０５を設けた例を示している。この場合はダクト６０５の長さを十分確保することはできないが、音の出口をスリット状にすることにより、ダクト６０４とダクト６０５とを略同一直線上に並べて配置することができる。このようなスピーカー装置６は、壁にひとつのスリットを設け、ダクト６０４とダクト６０５とを壁に設けたスリットから露出させるだけで、壁に埋め込んで設置することができる。
＜作用＞
第３実施例のスピーカー装置６は、キャビネット６１を設けることにより、背面側スピーカーユニット１０１ｃ、１０１ｄから背面に向けて出力される音と、前面側スピーカーユニット１０１ａ、１０１ｂから前方に向けて出力される音とが、キャビネット６１で共鳴する。さらに、いったんキャビネット６１で共鳴した音は、ダクト６０４から放出される。
【００２５】
またエンクロージャ６０のダクト６０５は、キャビネット６１の外部に接続されているので、エンクロージャ６０の内部の音は、ダクト６０５をとおり外部に放出される。
このように、第３実施例のスピーカー装置６は、前面側スピーカーユニット１０１ａ、１０１ｂと、背面側スピーカーユニット１０１ｃ、１０１ｄとから出力される音がダクト６０４をとおり外部に放出されるとともに、エンクロージャ６０の内部の音がダクト６０５をとおり外部に放出される。したがって、これにより、第１実施例のスピーカー装置と同様、振動を抑制しつつ小型化することができ、音をより大きく出力することができる。さらに、スピーカー装置６は、壁にひとつのスリットを設け、ダクト６０４とダクト６０５を壁に設けたスリットから露出させるだけで、壁に埋め込むことができ、スピーカー装置６を目立たなくすることができる。
【００２６】
建築デザイナーはスピーカー装置がインテリアとして相応しくないと考える傾向が強いことから、スピーカー装置を壁に埋め込むことが望まれてきた。しかしながら一般的な店舗や住宅では、壁の厚みはあまり厚くなく、また振動の遮蔽も十分でないことが多い。従来のスピーカー装置は厚さが厚く、壁に埋め込むのが困難であった。さらに壁に埋め込むとスピーカー装置の振動が伝わってしまい、音が濁り音質が劣化してしまった。これに対し本実施例のスピーカー装置は、薄型化が可能なので、壁に埋め込むことができる。また音の出口がスリット状なので壁にスリットを設ければよく、スピーカー装置の存在を目立たないようにすることができる。さらに振動を抑制しているので、音質を劣化させることがない。
【００２７】
[第４実施例]
＜構成＞
次に、第４実施例のスピーカー装置を説明する。第４実施例のスピーカー装置７は、第１実施例のスピーカー装置の供給部を変更したものであり、それ以外は第１実施例と同様である。
【００２８】
図７にスピーカー装置７のブロック構成図を示す。入力部７１へ入力された音響信号は、供給部７２へ送られる。供給部７２は、位相シフト部７０１、電力増幅部Ａ７０２ａ、電力増幅部Ｂ７０２ｂ を備えている。入力部７１に入力された音響信号は、電力増幅部Ａ７０２ａで増幅され、前面側スピーカーユニット１０１ａ、１０１ｂへ供給される。また、入力部７１に入力された音響信号は、同時に位相シフト部７０１へ供給され、位相シフト部７０１で位相をシフトされる。位相シフト部７０１は、たとえばオペアンプと抵抗器とコンデンサとで構成された１段のオールパスフィルタである。位相シフト部７０１で位相をシフトされた音響信号は電力増幅部Ｂ７０２ｂ で増幅され、背面側スピーカーユニット１０１ｃ、１０１ｄへ供給される。なお図７の例では電力増幅部Ｂ７０２ｂ の前に設けた位相シフト部７０１で位相を変化させ、独立した2つの電力増幅部で増幅して２組のスピーカーユニットへそれぞれ供給している。これに対し、ひとつの電力増幅部で増幅したのち、スピーカーユニットの手前でＬＣ回路などを用いて位相を変化させて２組のスピーカーユニットの相対的な位相を変化させても良い。
【００２９】
位相シフト部７０１は入力される音響信号の周波数に応じて位相遅れ量が変化する。本実施例では抵抗器及びコンデンサの定数は、入力された周波数が２５Ｈｚ以上の音響信号に対し位相の遅れ量が３０°以下、入力された周波数２５Ｈｚよりも低い音響信号に対し位相の遅れ量が３０°より大きくなるよう設定されているものとする。
【００３０】
なお図７に示した位相シフト部７０１はオールパスフィルタを一段通過させるものであるが、必要に応じて段数を多くしたり低域フィルターやデジタル信号処理によって位相をシフトさせても良い。また、逆特性の位相シフトを電力増幅部Ａの側に施してもよい。
＜作用＞
入力部７０へ周波数２５Ｈｚよりも低い音響信号が入力されると、電力増幅部Ａ７０２ａが増幅して前面側スピーカーユニット１０１ａ、１０１ｂへ供給するとともに、位相シフト部７０１は３０°よりも大きく位相を遅らせて、電力増幅部Ｂ７０２ｂ で増幅して背面側スピーカーユニット１０１ｃ、１０１ｄへ供給する。いま、２５Ｈｚはスピーカーユニットの再生限界周波数以下であるとすると、スピーカー装置７は音として出力することはないが、振動は生じる。位相の遅れが大きいので、前面側スピーカーユニットと背面側スピーカーユニットの振動はたがいに打ち消されることなく、振動が生じる。再生限界周波数以下の周波数の振動は音を濁らせることがない。一方で、このような低周波の振動は壁や床に伝わるので振動を体感することができ、それによって重低音感が向上する。
【００３１】
人間は体のいたるところで音による空気振動や副次的に発生する振動を検知しているが、たとえば皮膚の触覚による振動の検知は、鼓膜による音の検知よりも検知する周波数帯域が低いことが知られている。したがって、再生限界周波数以下の低い周波数帯域の振動を発生させることにより、触覚による重低音感を向上させることができる。
【００３２】
一方、再生可能な周波数帯域の音響信号に対しては、位相の遅れは３０°以下であり、前面側スピーカーユニットと背面側スピーカーユニットの振動は互いに打ち消しあう。これにより、第１から第３実施例と同様、振動を抑制し、音の濁りを防ぐことができる。
【００３３】
このように、本実施例のスピーカー装置は、振動を抑制しつつ小型化が可能であり、さらに重低音感を向上させることができる。
【００３４】
なお、第２実施例、第３実施例のスピーカー装置についても、供給部３２を第４実施例の供給部７２に置き換えて位相を変化させることが可能であり、上記で説明した第４実施例と同様の効果を奏する。
【符号の説明】
【００３５】
１、５、６  スピーカー装置
１０、５０、６０  エンクロージャ
１０１ａ、１０１ｂ  前面側スピーカーユニット
１０１ｃ、１０１ｄ  背面側スピーカーユニット
１０２、５０２、６０２  前面側バッフル板
１０３、５０３、６０３  背面側バッフル板
３１、７１  入力部
３２、７２  供給部
５０４、６０４、６０５  ダクト
６１  キャビネット
７０１  位相シフト部
７０２ａ  電力増幅部Ａ
７０２ｂ  電力増幅部Ｂ
【図１】
2014007554.tif 000003
【図２】
2014007554.tif 000004
【図３】
2014007554.tif 000005
【図４】
2014007554.tif 000006
【図５】
2014007554.tif 000007
【図６】
2014007554.tif 000008
【図７】
2014007554.tif 000009